(57)【要約】【課題】本発明は、浴室内において、常に使用者の手元において迅速に操作することができ、防水性にも優れた浴室用スイッチを提供することを課題とする。【解決手段】本発明は、浴室天井から吊り下げて使用することのできる浴室用スイッチにおいて、浴室の天井面に固定できる押圧スイッチ付プレート組立体に、浴室空間をカバーできる適切な長さのエアチューブを介して、前記中空ゴム体を気密に接続し、これを押圧することにより、前記押圧スイッチを遠隔操作できるようにしたことを特徴とする。【選択図】図１
2007234229.tif 000002
【特許請求の範囲】
【請求項１】
浴室の天井に設置できる、押圧スイッチ付プレート組立体と、前記プレート組立体に着脱自在に連結固定される遠隔操作ユニットとからなり、前記遠隔操作ユニットは、前記プレート組立体の取付プレートに着脱自在に固定できる連結体と、押圧することにより圧縮空気を発生する中空ゴム体と、一端を前記連結体に、他端を中空ゴム体にそれぞれ気密に接続できるエアチューブとを具備し、前記連結体には、前記エアチューブを介して伝送される前記圧縮空気で押し出される作動ピンを設け、前記作動ピンの押圧力で前記押圧スイッチを操作できるようにしたことを特徴とする浴室用スイッチ。
【請求項２】
前記エアチューブの長さを調節するための長さ調節手段を具備することを特徴とする請求項１記載の浴室用スイッチ。
【発明の詳細な説明】
【技術分野】
【０００１】
本発明は、浴室用スイッチに係り、特に、浴室天井から吊り下げて使用することのできる浴室用スイッチに関する。
【背景技術】
【０００２】
特許文献１には、病院の浴室等に設置される引きスイッチ装置が記載されている。第１図には、浴室等の天井面Ｓに埋め込まれるスイッチ本体１と、これから吊り下げられるチェーン４ａ、４ｂと、チェーン４ｂの下端に連結された吊輪とを具備し、両チェーン４ａ、４ｂの間に脱落装置５を取り付けた引きスイッチ装置が示されている。
【０００３】
【特許文献１】・・・・実開昭６０−１３０５２８号公報
【発明の開示】
【発明が解決しようとする課題】
【０００４】
特許文献１に記載された引きスイッチ装置は、ナースコールシステム用の浴室用スイッチとして代表的なものである。この引きスイッチ装置は、吊輪６に手をかけ、引き下げることによってスイッチが作動する。ここで、引き下げ動作を詳細に見ると、一般的には、手首を曲げるより、いうならば、腕全体を使って吊輪を下方に押し付けるような動きになることが多い。
【０００５】
このため、この種の引きスイッチ装置には、予想外の過大な牽引力が加わることがある。このような実際の使用状況を踏まえて、強力なチェーンが使用される。ところが、強力なチェーンの場合には、チェーンに規定の力が加わったら自動的にチェーンを切り離す自殺防止用の脱落装置５が必要になる。従って、その構造は複雑であり、高価となる。
【０００６】
また、特許文献１の引きスイッチ装置の吊輪の位置と高さは、スイッチ本体１の設置位置と、操作できる高さで決まる位置に固定的に保持され、使用者の手元に寄せて置くことはできない。
【０００７】
本発明は、上記従来技術の問題点を解決することができ、防水性に優れた浴室用スイッチを提供することを課題とする。
【課題を解決するための手段】
【０００８】
本発明による浴室用スイッチは、浴室の天井面に固定できる押圧スイッチ付プレート組立体に、適切な長さのエアチューブを介して、前記中空ゴム体を気密に接続し、中空ゴム体を押圧することにより、前記押圧スイッチを遠隔操作できるようにしたことを特徴とする。
【発明の効果】
【０００９】
本発明は上記のように構成されているので、エアチューブの長さを適当に選ぶことにより、中空ゴム体が浴室のどの位置にあっても、中空ゴム体を操作することができる。
【００１０】
すなわち、スイッチの操作者は、予め、中空ゴム体を手首に引っ掛けたりして手元におくことができ、浴槽の中にいても、浴槽から出て洗い場に移動しても、何時でも迅速な操作が可能である。
【発明を実施するための最良の形態】
【００１１】
図１は、本発明の１実施例を示す浴室用スイッチの説明図である。
【００１２】
本発明の浴室用スイッチの全体は、浴室の天井面２に設置されるプレート組立体１と、これに接続される遠隔操作ユニット３とに区分される。遠隔操作ユニット３は、プレート組立体１に接続される連結体４と、連結体４に弾力的に嵌合接続されるエアチューブ５と、エアチューブ５の下端に同じく弾力的に嵌合接続される中空ゴム体６とで構成され、必要に応じて、長さ調節手段７が追加される。
【００１３】
さらに詳細に見ると、プレート組立体１は、取付プレート１ａと、押圧スイッチ１ｂとを具備している。
【００１４】
拡大図にあるように、押圧スイッチ１ｂは、浴室の水滴、湯気を考慮した防浸タイプのタクタイルスイッチであり、その突出する操作面１ｃを押圧することによりスイッチ回路が作動するようになっている。
【００１５】
なお、押圧スイッチ１ｂとしては、ヒンジレバータイプのスイッチ等に任意に変更することができるが、いずれにしても、浴室の水滴、湿気を考慮したものとする。
【００１６】
なお、取付プレート１ａに対し、押圧スイッチ１ｂを固定するために、図の実施例では、取付金具１ｄを使っているが、固定手段は実施例に限定されるものではない。
【００１７】
取付プレート１ａの内側中央部には、押圧スイッチ１ｂの操作面１ｃに正対する位置に、雌ネジボス１ｅが固定されている。
【００１８】
４ｂは、連結体４の筒部４ａの上端面から突出するガイド筒であり、その外周には、雌ネジボス１ｄの雌ネジに嵌合する雄ネジが形成されており、取付プレート１ａの外側から、連結体４のガイド筒４ｂを雌ネジボス１ｅにねじ込むことにより、連結体４は、取付プレート１ａに固定される。
【００１９】
４ｃは、ガイド筒４ｂを貫通して摺動する作動ピンであり、エアチューブ５から送り込まれる圧縮空気で上方に突き動かされ、押圧スイッチ１ｂの操作面１ｃを押圧する。
【００２０】
連結体４の下端から突出する空気パイプ４ｄには、シリコンゴムや自然ゴムなどのように柔軟で弾力性のあるエアチューブ５の上端部を弾力的に嵌合させて固定してある。
【００２１】
このエアチューブ５の上端の勘合部が、エアチューブ５、中空ゴム体６の重量で抜け落ちないよう、空気パイプ４ｃの外周形状に凹凸による滑り止めを形成したり、弾力のある締付具４ｅでエアチューブ５を空気パイプ４ｃに挟みつけたりすることが望ましい。
【００２２】
７は、エアチューブ５を巻き取ったり、巻き戻したりすることのできる円板状ないしリール状の長さ調節手段であり、その周縁部の適所にはエアチューブ５の引っ掛けることのできる係止穴（溝）７ａが形成されている。
【００２３】
６は浮輪状あるいは吊り輪状の中空ゴム体であり、その外周の適所から突出する空気パイプ６ａに、エアチューブ５の下端部が弾力的に嵌合して取付けられている。
なお、エアチューブ５の下端部から中空ゴム体６の空気パイプ６ａが抜け落ちやすい場合は、前述した抜け落ち防止策を適宜実施するものとする。
【００２４】
本発明による浴室スイッチは、図の実線で示すように、天井面２から垂下される中空ゴム体６を中空位置に保持した、いわゆる宙ぶらりん状態で使用したり、点線でしめすように、エアチューブ５の長さを伸ばして、中空ゴム体６を浴槽８の湯面に浮かべた状態で使用したり、洗い場の床面まで降ろしたりした状態で使用することができる。
【図面の簡単な説明】
【００２５】
【図１】本発明の１実施例を示す装着例の説明図である。
【符号の説明】
【００２６】
１        プレート組立体
１ａ      取付プレート        
１ｂ      押圧スイッチ
１ｃ      操作面
１ｄ      取付金具
１ｅ      雌ネジボス
２        天井面
３        遠隔操作ユニット
４        連結体
４ａ      筒部
４ｂ      ガイド筒
４ｃ      作動ピン
４ｄ      空気パイプ
４ｅ      締付具
５        エアチューブ
６        中空ゴム体
６ａ      空気パイプ
７        長さ調節手段
７ａ      係止穴
【図１】
2007234229.tif 000003